【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
ロール状に巻かれたシート状媒体でありロールの中心軸のまわりに回転可能なロール媒体から前記シート状媒体を送り出す駆動ローラーと、前記ロール媒体を回転させて前記送り出したシート状媒体を巻き戻すロール回転部と、を有する搬送装置であって、
前記ロール回転部は、前記ロール媒体の回転に負荷を与える第一及び第二のブレーキ装置を備え、
前記第一のブレーキ装置は、無通電状態において前記負荷を与える
ことを特徴とする搬送装置。
【請求項２】
請求項１において、
前記駆動ローラーは、前記駆動ローラーの回転に負荷を与える第三のブレーキ装置を備える
ことを特徴とする搬送装置。
【請求項３】
請求項２において、
前記シート状媒体を送り出す際には前記第三のブレーキ装置は前記負荷を与えず、前記シート状媒体を巻き戻す際には前記第一及び第二のブレーキ装置は前記負荷を与えず、
前記シート状媒体を送り出す際の搬送速度の加速中は、前記第一及び第二のブレーキ装置は前記負荷を与えず、
前記シート状媒体を送り出す際の搬送速度が加速状態から定速状態へ移行する所定のタイミングにおいては、前記第一のブレーキ装置は前記負荷を与え、前記第二のブレーキ装置は前記負荷を与えず、
前記シート状媒体を送り出す際の搬送速度の減速中は、少なくとも前記第二のブレーキ装置は前記負荷を与える
ことを特徴とする搬送装置。
【請求項４】
請求項１乃至３のいずれか１項において、
前記第二のブレーキ装置が与える前記負荷は、前記第一のブレーキ装置が与える前記負荷よりも大きい
ことを特徴とする搬送装置。
【請求項５】
請求項２乃至４のいずれか１項において、
前記第三のブレーキ装置は、前記シート状媒体を巻き戻す際の回転方向に対して前記負荷を与える
ことを特徴とする搬送装置。
【請求項６】
請求項１乃至５のいずれか１項に記載の搬送装置を備え、前記送り出されたシート状媒体に対して印刷を実行する印刷装置。
【請求項７】
ロール状に巻かれたシート状媒体でありロールの中心軸のまわりに回転可能なロール媒体と、当該ロール媒体から前記シート状媒体を送り出す駆動ローラーと、前記ロール媒体を回転させて前記送り出したシート状媒体を巻き戻すロール回転部と、を有する搬送装置における搬送方法であって、
前記ロール回転部は、前記ロール媒体の回転に負荷を与える第一及び第二のブレーキ装置を備え、前記第一のブレーキ装置は、無通電状態において前記負荷を与えることを特徴とする搬送方法。
【請求項８】
請求項７において、
前記駆動ローラーは前記駆動ローラーの回転に負荷を与える第三のブレーキ装置を備え、
前記シート状媒体を送り出す際には前記第三のブレーキ装置は前記負荷を与えず、前記シート状媒体を巻き戻す際には前記第一及び第二のブレーキ装置は前記負荷を与えず、
前記シート状媒体を送り出す際の搬送速度の加速中は、前記第一及び第二のブレーキ装置は前記負荷を与えず、
前記シート状媒体を送り出す際の搬送速度が加速状態から定速状態へ移行する所定のタイミングにおいては、前記第一のブレーキ装置は前記負荷を与え、前記第二のブレーキ装置は前記負荷を与えず、
前記シート状媒体を送り出す際の搬送速度の減速中は、少なくとも前記第二のブレーキ装置は前記負荷を与えることを特徴とする搬送方法。
【請求項９】
請求項８において、
前記第三のブレーキ装置は、前記シート状媒体を巻き戻す際の回転方向に対して前記負荷を与えることを特徴とする搬送方法。
【手続補正２】
【補正対象書類名】明細書
【補正対象項目名】００１０
【補正方法】変更
【補正の内容】
【００１０】
上記の目的を達成するために、本発明の一つの側面は、ロール状に巻かれたシート状媒体でありロールの中心軸のまわりに回転可能なロール媒体から前記シート状媒体を送り出す駆動ローラーと、前記ロール媒体を回転させて前記送り出したシート状媒体を巻き戻すロール回転部と、を有する搬送装置において、前記ロール回転部は、前記ロール媒体の回転に負荷を与える第一及び第二のブレーキ装置を備え、前記第一のブレーキ装置は、無通電状態において前記負荷を与える、ことである。
【手続補正３】
【補正対象書類名】明細書
【補正対象項目名】００１１
【補正方法】変更
【補正の内容】
【００１１】
更に、上記発明において、好ましい態様は、前記駆動ローラーは、前記駆動ローラーの回転に負荷を与える第三のブレーキ装置を備える、ことを特徴とする。
【手続補正４】
【補正対象書類名】明細書
【補正対象項目名】００１２
【補正方法】変更
【補正の内容】
【００１２】
更にまた、上記発明において、好ましい態様は、前記シート状媒体を送り出す際には前記第三のブレーキ装置は前記負荷を与えず、前記シート状媒体を巻き戻す際には前記第一及び第二のブレーキ装置は前記負荷を与えず、前記シート状媒体を送り出す際の搬送速度の加速中は、前記第一及び第二のブレーキ装置は前記負荷を与えず、前記シート状媒体を送り出す際の搬送速度が加速状態から定速状態へ移行する所定のタイミングにおいては、前記第一のブレーキ装置は前記負荷を与え、前記第二のブレーキ装置は前記負荷を与えず、前記シート状媒体を送り出す際の搬送速度の減速中は、少なくとも前記第二のブレーキ装置は前記負荷を与える、ことを特徴とする。
【手続補正５】
【補正対象書類名】明細書
【補正対象項目名】００１４
【補正方法】変更
【補正の内容】
【００１４】
更に、上記発明において、好ましい態様は、前記第三のブレーキ装置は、前記シート状媒体を巻き戻す際の回転方向に対して前記負荷を与える、ことを特徴とする。
【手続補正６】
【補正対象書類名】明細書
【補正対象項目名】００１５
【補正方法】変更
【補正の内容】
【００１５】
上記の目的を達成するために、本発明の別の側面は、上記いずれかに記載の搬送装置を備え、前記送り出されたシート状媒体に対して印刷を実行する印刷装置、とすることである。
【手続補正７】
【補正対象書類名】明細書
【補正対象項目名】００１６
【補正方法】変更
【補正の内容】
【００１６】
上記の目的を達成するために、本発明の別の側面は、ロール状に巻かれたシート状媒体でありロールの中心軸のまわりに回転可能なロール媒体と、当該ロール媒体から前記シート状媒体を送り出す駆動ローラーと、前記ロール媒体を回転させて前記送り出したシート状媒体を巻き戻すロール回転部と、を有する搬送装置における搬送方法において、前記ロール回転部は、前記ロール媒体の回転に負荷を与える第一及び第二のブレーキ装置を備え、前記第一のブレーキ装置は、無通電状態において前記負荷を与える、ことである。
【手続補正８】
【補正対象書類名】明細書
【補正対象項目名】００１７
【補正方法】変更
【補正の内容】
【００１７】
更に、上記発明において、好ましい態様は、前記駆動ローラーは、前記駆動ローラーの回転に負荷を与える第三のブレーキ装置を備え、前記シート状媒体を送り出す際には前記第三のブレーキ装置は前記負荷を与えず、前記シート状媒体を巻き戻す際には前記第一及び第二のブレーキ装置は前記負荷を与えず、前記シート状媒体を送り出す際の搬送速度の加速中は、前記第一及び第二のブレーキ装置は前記負荷を与えず、前記シート状媒体を送り出す際の搬送速度が加速状態から定速状態へ移行する所定のタイミングにおいては、前記第一のブレーキ装置は前記負荷を与え、前記第二のブレーキ装置は前記負荷を与えず、前記シート状媒体を送り出す際の搬送速度の減速中は、少なくとも前記第二のブレーキ装置は前記負荷を与える、ことを特徴とする。